(57)【要約】【課題】  痩身効果をもたらす種々の装置を本体内に収容し、単一の本体だけで十分な痩身効果を期待することのできる美容器を提供すること。【解決手段】  把持部２０と、把持部２０の先端に取り付けられるとともに把持部２０に対して回動可能な中空状の２つのローラー３０ａ，３０ｂと、ローラー３０ａ，３０ｂ内にホットフィルム８０およびＥＭＳ装置９２を備えた痩身用の美容器１において、ホットフィルム８０およびＥＭＳ装置９２に接続される１１を、ローラー３０ａ，３０ｂ内に挿嵌された円筒状のスリップリング７０を介して、把持部２０側の配線１０に接続した。また、赤色発光ＬＥＤ２６を備えた。【選択図】図３
2015136571.tif 000002
【特許請求の範囲】
【請求項１】
把持部と、前記把持部の先端に取り付けられるとともに前記把持部に対して回動可能な中空状のローラーと、前記ローラー内に温熱装置または電気的筋肉刺激装置の少なくとも一方とを備えた痩身用の美容器であって、
前記温熱装置または電気的筋肉刺激装置に接続される配線を、前記ローラー内に挿嵌された円筒状のスリップリングを介して、前記把持部側に接続される配線に接続したことを特徴とする痩身用の美容器
【請求項２】
前記美容器は、前記把持部の先端に前記ローラーを２つ備え、全体として正面視Ｙ字状に形成され、前記ローラー内には、それぞれ前記温熱装置または前記電気的筋肉刺激装置の少なくとも一方を備えたことを特徴とする請求項１に記載の痩身用の美容器。
【請求項３】
前記美容器は、前記温熱装置および前記電気的筋肉刺激装置を備えたことを特徴とする請求項１または請求項２に記載の痩身用の美容器。
【請求項４】
前記美容器は、内部に充電池を内蔵したことを特徴とする請求項１から請求項３のいずれかに記載の痩身用の美容器。
【請求項５】
前記温熱装置は、前記ローラーの内周面に沿って取り付けられたホットフィルムであることを特徴とする請求項１から請求項４のいずれかに記載の痩身用の美容器。
【請求項６】
前記電気的筋肉刺激装置は、前記ローラーの先端を被覆するヘッドカバーに取り付けられたことを特徴とする請求項１から請求項５のいずれかに記載の痩身用の美容器。
【請求項７】
前記電気的筋肉刺激装置は、前記２つのローラーのいずれか一方にプラス電極を、他方にマイナス電極を接続した請求項２から請求項６のいずれかに記載の痩身用の美容器。
【請求項８】
使用者の肌に照射可能な赤色発光ＬＥＤが備えられたことを特徴とする請求項１から請求項７のいずれかに記載の痩身用の美容器。
【発明の詳細な説明】
【技術分野】
【０００１】
本発明は、使用者の肌に密着させて使用する痩身用の美容器に関する。
【背景技術】
【０００２】
従来から、痩身を目的とし、使用者の肌に密着させて使用する美容器が知られている。このような美容器としては、使用者の肌に対して、加熱を行うもの、吸引を行うもの、直接マッサージを行うもの、超音波による振動を与えるもの、振動装置により直接的に振動を与えるもの、ＬＥＤなどにより光を照射するもの、微弱電流を流すものなど、種々の方法により痩身効果をもたらすものが知られている（例えば特許文献１から特許文献３参照）。
【０００３】
特許文献１に記載のものは、保温マット７と、微弱超音波を出射して全身を温める微弱超音波発生器８と、ローラー機能を備えるプローブ１０と、ＥＭＳ機器１２と、微弱電流・赤外線発生装置１４とを備え、これらの機器により、それぞれの施術を順次施していくものである。特許文献２に記載のものは、把手１前方部に本体ケース２を接続固定し、ケース２内一側に、反射板６・発熱器４・遠赤外線放射装置体５を組み込んだ構造の遠赤外線放射装置器３を収容固設し、もう一側にはローラ７を組み込んだマッサージ用磁気治療器をそれぞれ別個に収容固設し、これらを一体化と構成した遠赤外線放射装置・磁気治療器である。特許文献３に記載のものは、把持部１に当接部が金属製のローラ電極２、３の一対を二軸並列に転動自在に取付けるとともに、一対のローラ電極２，３をそれぞれ印加される低周波電圧の極性が互いに逆極性になるように低周波発振器の出力端に接続し、かつ通電に際して関電極となる側のローラ電極３の当接部に凹凸を設けたことを特徴とする通電剌激装置である。
【先行技術文献】
【特許文献】
【０００４】
【特許文献１】特開２００８−１７３２３２号公報（図２〜４、１６、１９、２０等）
【特許文献２】実開平７−９３６１号公報（図１等）
【特許文献３】実用新案登録第２５９５８１４号公報（図１、図２等）
【発明の概要】
【発明が解決しようとする課題】
【０００５】
しかしながら、前述したような従来技術では、痩身効果をもたらす種々の方法を施すためには、特許文献１のように、順次別の装置を用いて施術することが必要であった。また、種々の方法を施すことのできる各装置を一つの美容器本体内に収めるものは、特許文献２や特許文献３に記載の美容器に記載されているものの、収められる機能の数に限界があり、十分な痩身効果をもたらすことはできなかった。特にハンディタイプの美容器においては、収容スペースが制約されるため、このような問題が顕著であった。
【０００６】
本発明の目的は、前述した従来技術の課題を解決しようとするものであり、痩身効果をもたらす種々の装置を本体内に収容し、単一の本体だけで十分な痩身効果を期待することのできる美容器を提供することにある。
【課題を解決するための手段】
【０００７】
上記目的を達成するものは、以下のものである。
（１）把持部と、前記把持部の先端に取り付けられるとともに前記把持部に対して回動可能な中空状のローラーと、前記ローラー内に温熱装置または電気的筋肉刺激装置の少なくとも一方とを備えた痩身用の美容器であって、
前記温熱装置または電気的筋肉刺激装置に接続される配線を、前記ローラー内に挿嵌された円筒状のスリップリングを介して、前記把持部側に接続される配線に接続したことを特徴とする痩身用の美容器。
【０００８】
スリップリング内に配線を挿通させることにより、回動させて用いるローラーを備えながらも、温熱装置や電気的筋肉刺激装置（ＥＭＳ装置）をコンパクトに収めることができる。
【０００９】
（２）前記美容器は、前記把持部の先端に前記ローラーを２つ備え、全体として正面視Ｙ字状に形成され、前記ローラー内には、それぞれ前記温熱装置または前記電気的筋肉刺激装置の少なくとも一方を備えたことを特徴とする（１）に記載の痩身用の美容器。（３）前記美容器は、前記温熱装置および前記電気的筋肉刺激装置を備えたことを特徴とする（１）または（２）に記載の痩身用の美容器。
【００１０】
（４）前記美容器は、内部に充電池を内蔵したことを特徴とする（１）から（３）のいずれかに記載の痩身用の美容器。
【００１１】
電源コードを取り外して使用可能な充電池を内蔵した美容器の場合、特に内部の収容スペースが制約されるので、前述したような痩身効果をもたらす各装置を収容して痩身効果を高める際に適している。
【００１２】
（５）前記温熱装置は、前記ローラーの内周面に沿って取り付けられたホットフィルムであることを特徴とする（１）から（４）のいずれかに記載の痩身用の美容器。
【００１３】
「ホットフィルム」とは、ホットワイヤーを保護フィルムで覆ったものを指す。このようなホットフィルムにより温熱装置を構成することにより、ローラーの内周面の少ないスペースに温熱装置を取り付けることができるとともに、ローラー内周面を均一に加熱することができる。また、薄いフィルム状としているので、ローラーの回動を妨げるおそれを減少させることもできる。
【００１４】
（６）前記電気的筋肉刺激装置は、前記ローラーの先端を被覆するヘッドカバーに取り付けられたことを特徴とする（１）から（５）のいずれかに記載の痩身用の美容器。
【００１５】
ローラーの先端に備えられるヘッドカバーに取り付けることとしたので、通電をさせ易い位置に配設されていることになる。また、ローラーを２つ備えてＹ字状に形成された美容器にあっては、２つのローラーのそれぞれの先端から通電をさせることができるので、ローラー全体に電気を流しやすく、すなわち使用者の肌などにおいて広い範囲に電気を流すことができる。
【００１６】
（７）前記電気的筋肉刺激装置は、前記２つのローラーのいずれか一方にプラス電極を、他方にマイナス電極を接続した（２）から（６）のいずれかに記載の痩身用の美容器。
【００１７】
２つのローラーの一方にプラス電極、他方にマイナス電極を接続することにより、使用時には、使用者の肌において２つのローラーが接触する２つの部位間に微弱電流が流れることになり、より広範囲に筋肉刺激による痩身効果をもたらすことができる。
【００１８】
（８）使用者の肌に照射可能な赤色発光ＬＥＤが備えられたことを特徴とする（１）から（７）のいずれかに記載の痩身用の美容器。
【００１９】
前述した痩身効果に加えて、さらに赤色発光ＬＥＤからの照射光による痩身効果を相乗的に得られる。
【００２０】
本発明の痩身用の美容器では、ローラーを備えているとともに、このローラー内に挿嵌された円筒状のスリップリング内に配線を挿通させることができるので、充電式のハンディタイプの美容器などの小型の美容器においても、痩身効果をもたらす電気機器を備えた各装置を収容することができ、小型であっても痩身効果の高い美容器を提供することができる。
【図面の簡単な説明】
【００２１】
【図１】図１は、本発明の実施例の美容器の正面図である。
【図２】図２は、図１に示した美容器の右側面図である。
【図３】図３は、美容器のローラーの分解斜視図である。
【図４】図４は、美容器のスリップリングの先端側の斜視図である。
【図５】図５は、美容器のスリップリングの基端側の斜視図である。
【図６】図６は、図４に示したスリップリングの分解斜視図である。
【図７】図７は、ローラーの一部断面図である。
【図８】図８は、図１に示した美容器のホットフィルムを展開した状態の正面図である。
【図９】図９は、図１に示した美容器のヘッドカバーの背面図である。
【発明を実施するための形態】
【００２２】
以下、本発明の痩身用の美容器について、図面に示した実施の形態を用いて説明する。図１および図２に示すように、本発明の痩身用の美容器１は、正面視において「Ｙ字」状に形成されている。また、側面視においては、上下がやや正面側寄りに位置し、中心付近が背面側寄りに位置するようにして、緩やかに湾曲した形状の全体形状とされている。そして、使用者が使用時に把持する把持部２０と、この把持部２０の先端から、正面視において左右斜め上にそれぞれ延設された中空状のローラー３０ａ、３０ｂが備えられている。
【００２３】
この美容器１は、回動可能なローラー３０ａ、３０ｂを備えることにより、このローラー３０ａ、３０ｂを転がすようにして使用者の肌に圧着させて適切なマッサージ効果を奏し得る。そして、後述するように、ローラー３０ａ、３０ｂ内には温熱装置と電気的筋肉刺激装置（ＥＭＳ装置）が内蔵されており、この温熱装置による温熱効果と、ＥＭＳ装置による筋肉に対する電気刺激も与えることができる。このように温熱装置とＥＭＳ装置をローラー３０ａ、３０ｂ内に収容可能とすることにより、小型のハンディタイプであっても、高い痩身効果を得られる美容器１とするものである。以下、美容器１の詳細について説明する。
【００２４】
把持部２０は上下方向に沿って緩やかに湾曲された変形六角形の柱状に形成されており、図示は省略するが、その内部には充電池が内蔵されている。美容器１は図示しないクレイドル上に載置して充電することが可能とされており、把持部２０の基端面には、クレイドルのアダプタージャックと接続するためのアダプターピンが突設されている。
【００２５】
図２に示すように、把持部２０の上方寄りの背面には、後述するＥＭＳ装置を操作するためのＥＰボタン２２、および温熱装置を操作するためのＨＯＴボタン２４が設けられている。ＥＰボタン２２は上側に、ＨＯＴボタン２４は下側に配設され、全体として上下に細長い六角形状に形成されている。また、これらのボタン２２，２４の外周には、詳細は省略するが各ボタン２２，２４の操作状態を示すためのＬＥＤが配設されている。
【００２６】
また、把持部２０の上部の正面側には、左右に並べられて配設された２つの赤色発光ＬＥＤ２６が備えられている。これらの赤色発光ＬＥＤ２６は、本例では約６２０ｎｍの波長光を照射する。ＥＰボタン２２またはＨＯＴボタン２４のいずれかをオンにした状態では、これらのＬＥＤ２６が点灯するように制御されている。そして、把持部２０の先端には、正面視において左右斜め上方向に向けて延設された支持部２８がそれぞれ備えられている。支持部２８の先端には、前述したローラー３０ａ、３０ｂが回動自在に取り付けられている。このようなＬＥＤ２６を設けることにより、前述した温熱装置およびＥＭＳ装置による痩身効果に加えて、ＬＥＤ２６による痩身効果を相乗的に得られる。
【００２７】
ついでローラー３０ａ、３０ｂについて説明する。なお、ローラー３０ａ、３０ｂおよびこれらに内蔵される部品等は、その基本的な構成を同一にするので、ローラー３０ａについて説明し、以下において特に言及の無い限りローラー３０ｂについても同一の構成を採用するものとする。ローラー３０ａは、その先端および基端の外径が中央の外径よりも小さく、中央から、先端および基端に向かうにしたがって緩やかに小さくなり「たる」状の外形とされている。ローラー３０ａの先端は、後述する円盤状のヘッドカバー９０により被覆されて閉じられている。また、ローラー３０ａの外周面には、ローラー３０ａの軸心方向に沿って細長に形成された多数の楕円状の隆起部３２が形成されている。ローラー３０ａを使用者の肌に圧着させた際には、この隆起部３２が、肌への適度な刺激を伴いながらマッサージ効果をもたらすことができる。
【００２８】
図３に示すように、ローラー３０ａは前側ジョイント３４と後側ジョイント３５とにより把持部２０に取り付けられている。ジョイント３４，３５は正面視において「Ｙ字」状に形成されており、前側ジョイント３４はその背面側に、後側ジョイント３５はその正面側に窪みが形成されており、これらのジョイント３４，３５を合わせた際にこれらの窪みにより形成される空間に、把持部２０から引き回される配線１０が挿通され、後述するローラー３０ａ内の各装置に接続されている。
【００２９】
ローラー３０ａ内には、ジョイント３４，３５側から順に、ベアリング４０、ブラケット５０、第一ワッシャー６０、スリップリング７０、第二ワッシャー６６、ホットフィルム８０、ストップリング８６等が収容されており、ローラー３０ａの先端の開口部３６に取り付けられるヘッドカバー９０により隠蔽されている。
【００３０】
ブラケット５０は、その基端側を２つのねじ３７によってジョイント３４，３５に固定されている。ブラケット５０の先端側の外周面には、薄い円筒状に形成されたベアリング４０が嵌装され、さらにこのベアリング４０は、ローラー３０ａの基端側の内側に設けられた取付円筒部３１の内周面と摺接されている。このようにして、ブラケット５０に対してローラー３０ａは、ベアリング４０を介して回動可能に設けられている。また、ブラケット５０の先端側の開口部５２内には、スリップリング７０の後端側を挿入固定可能に構成されている。
【００３１】
第１ワッシャー６０は中心に挿通孔６２が開口された円盤状に形成されている。第１ワッシャー６０には、後述するねじ７９がねじ止めされるねじ孔６４が、その周回方向に沿って３か所形成されている。また、第１ワッシャー６０の外周端部には、第１ワッシャー６０の径方向外側に向けて突設された係止用の突部６５が２か所設けられている。
【００３２】
スリップリング７０は、回転するローラー３０ａ内に挿通される配線１０および配線１１を断線しないように接続するために用いられる部品であり、スリップリング７０の前後にそれぞれ配線１０、配線１１をそれぞれ別個に接続している。
【００３３】
図６に示すように、スリップリング７０は、プリント基板に取り付けられたワイヤブラシ７１ａ，７１ｂが組み付けられた上部ブロック７２ａと下部ブロック７２ｂとが備えられている。上部ブロック７２ａと下部ブロック７２ｂの内側には、ベアリング７３ａ，７３ｂを介してローター７４が介装されている。このようにして、上部ブロック７２ａと下部ブロック７２は、ローター７４に対してその軸心周りに回動自在に取り付けられている。
【００３４】
ローター７４には、５つの導体リング７５ａ〜７５ｅが外周に取り付けられており、これらの各導体リング７５ａ〜７５ｅには、把持部２０側から、５本の配線１０ａ〜１０ｅがそれぞれ接続されている。そしてワイヤブラシ７１ａ，７１ｂは、上部ブロック７２ａと下部ブロック７２ｂとともに回動されつつ、この導体リング７５に接しながら電気的信号等を伝達するように設けられている。ワイヤブラシ７１ａには３つの配線１１ａ〜１１ｃが接続されており、ワイヤブラシ７１ｂには２つの配線１１ｄ，１１ｅが接続されている。また、図９に示すように、配線１１ａはヘッドカバー９０に取り付けられたＥＭＳ装置９２に接続されており、図８に示すように、配線１１ｂ，１１ｃはホットフィルム８０に接続されている。なお、配線１１ｄ，１１ｅは、本例では予備用の配線として特定の部位には接続されていない。そして、ローター７４は、ローターキャップ７６によって円盤状のハウジング７７に固定されている。なお、本例では、回転側ブロック７２ａ、７２ｂ／固定側ローター７４としたが、回転側ローター／固定側ブロックとするなどを例として、他の態様のスリップリングを用いることとしても良い。そして、スリップリング７０は、ハウジング７７に開口された３つの挿通孔７８に挿通されたねじ７９によって、第１ワッシャー６０とともに、ローラー３０ａ内の取付円筒部３１の開口端面に対してねじ止めされて固定されている。また、スリップリング７０のハウジング１１の先端側には、第二ワッシャー６６が取り付けられている。
【００３５】
また、図７に示すように、スリップリング７０からローラー３０ａの先端寄りには、ローラー３０ａの内周面に、ホットフィルム８０が取り付けられている。図８に示すように、ホットフィルム８０はホットワイヤー８２を保護フィルムで覆って、ほぼ長方形の薄いシート状に形成されているが、柔らかく形成されて、図３および図７に示すように、円筒状に曲げることが可能である。このホットフィルム８０には、前述したように、配線１１ｂ、１１ｃが接続されている。そして図３および図７に示すように、このホットフィルム８０の内周面には、ホットフィルム８０の位置ずれなどを防止するための断面Ｃ字状のストップリング８６が取り付けられている。また、このストップリング８６は、第二ワッシャー６６の移動を規制して、これによりローラー３０ａの先端側へのスリップリング７０の移動を規制している。なお、ホットフィルム８０は、ローラー３０ａ，３０ｂのそれぞれに取り付けられるものが、出力３Ｗ（６Ｖ，０．５Ａ）とされている。
【００３６】
また、図３および図７に示すように、ローラー３０ａの開口部３６の内周面には、Ｏリング８８を介してヘッドカバー９０が取り付けられている。ヘッドカバー９０は、ローラー３０ａとともに回動自在に取り付けられている。ヘッドカバー９０は、表側がやや突出したお椀状に形成されており、図９に示すように、その裏側に、配線１１ａが接続されたＥＭＳ装置９２が取り付けられている。ＥＭＳ装置９２は例えば、電位差１０．０Ｖｐ−ｐ〜２４．０Ｖｐ−ｐの範囲で微弱電流の強度を選択できる。本例のＥＭＳ装置９２からは、５０Ｈｚの微弱電流を４段階の強さを選択して流すことが可能である。ＥＭＳ装置９２からの微弱電流の４段階の強度は、前述したＥＰボタン２２の押動操作により選択することができる。４段階の強度は、例えば、電位差１３．０Ｖｐ−ｐ、１５．０Ｖｐ−ｐ、１７．０Ｖｐ−ｐおよび２０．０Ｖｐ−ｐである。なお、周波数を４０Ｈｚ〜８０Ｈｚの範囲内で適宜変更しても良い。
【００３７】
このように、ローラー３０ａの先端に備えられるヘッドカバー９０にＥＭＳ装置９２を取り付けることとしたので、使用者の施術部位に通電をさせ易いローラー３０ａの先端位置に配設されていることになる。また、ローラー３０ａ、３０ｂの２つのローラーを備えてＹ字状に形成された美容器１において、ローラー３０ａの一方にプラス電極を、他方にマイナス電極を接続することとしているので、ローラー３０ａ，３０ｂの先端のＥＭＳ装置９２間の広い範囲に微弱電流を流すことができる。よって、Ｙ字状に配設されたローラー３０ａ，３０ｂの左右幅の全体に電気を流しやすく、したがって、使用者の施術部位において広い範囲に電気を流すことができる。そして、以上の通り構成されたローラー３０ａと同様に、もう一方のローラー３０ｂも構成されている。
【００３８】
このように構成された美容器１は以下のような作用効果を奏する。美容器１の使用態様は、ローラー３０ａ，３０ｂを施術部位に圧着させながら転がすようにしてローラー３０ａ，３０ｂを回動させる。ローラー３０ａ，３０ｂの表面に設けられた隆起部３２が施術部位への適度な刺激を与えながら、ローラー３０ａ，３０ｂの押圧によりマッサージ効果が得られる。
【００３９】
そして使用者の選択により、必要に応じて、ＨＯＴボタン２４を押動操作してホットフィルム８０に通電してローラー３０ａ，３０ｂを温め、また必要に応じて、ＥＰボタン２２を押動操作してＥＭＳ装置９２に通電してローラー３０ａ，３０ｂの先端から微弱電流を通電させて使用することができる。また、これらのホットフィルム８０による温熱効果、ＥＭＳ装置９２による微弱電流による筋肉刺激に加えて、これらのいずれかの動作と同時に赤色発光ＬＥＤ２６からの照射光を得ることができる。
【００４０】
そして、温熱装置としてのホットフィルム８０、ＥＭＳ装置（電気的筋肉刺激装置）９２を備えるが、これらを、回動可能なローラー３０ａ，３０ｂ内に内蔵している。ローラー３０ａ、３０ｂ内に内蔵するために、温熱装置としてホットフィルム８０を採用し、これを筒状に形成されているローラー３０ａ，３０ｂの内周面を覆うように取り付けているので、コンパクトなローラー３０ａ，３０ｂ内に内蔵可能とし、さらにローラー３０ａ，３０ｂのそれぞれの全体を均一に温めることができる。
【００４１】
また、使用者の施術部位を広範囲とするメリットがあることから、ローラー３０ａ，３０ｂの先端にＥＭＳ装置９２を取り付けているので、ＥＭＳ装置９２への配線をローラー３０ａ、３０ｂの先端まで配設する必要がある。ローラー３０ａ、３０ｂは回動可能であるので、スリップリング７０を用いることにより、ＥＭＳ装置９２までの配線の断線のおそれを回避することができる。また本例ではホットフィルム８０への配線も同様にスリップリング７０を用いて断線のおそれを回避している。
【産業上の利用可能性】
【００４２】
本発明は、手・腕・脚その他、使用者の肌に圧着して痩身効果をもたらす美容器に広く利用することができる。
【符号の説明】
【００４３】
１；美容器、１０ａ〜１０ｅ；配線、１１ａ〜１１ｅ；配線、２０；把持部、２２；ＥＰボタン、２４；ＨＯＴボタン、２６；赤色発光ＬＥＤ、２８；支持部、３０ａ，３０ｂ；ローラー、３１；取付円筒部、３２；隆起部、３４；前側ジョイント、３５；後側ジョイント、３６；開口部、３７；ねじ、４０；ベアリング、５０；ブラケット、５２；開口部、６０；第一ワッシャー、６２；挿通孔、６４；ねじ孔、６５；突部、６６；第二ワッシャー、７０；スリップリング、７１ａ，７１ｂ；ワイヤブラシ、７２ａ；上部ブロック、７２ｂ；下部ブロック、７３ａ，７３ｂ；ベアリング、７４；ローター、７５ａ〜７５ｅ；導体リング、７６；ローターキャップ、７７；ハウジング、７８；挿通孔、７９；ねじ、８０；ホットフィルム、８２；ホットワイヤー、８６；ストップリング、８８；Ｏリング、９０；ヘッドカバー、９２；ＥＭＳ装置。
【図１】
2015136571.tif 000003
【図２】
2015136571.tif 000004
【図３】
2015136571.tif 000005
【図４】
2015136571.tif 000006
【図５】
2015136571.tif 000007
【図６】
2015136571.tif 000008
【図７】
2015136571.tif 000009
【図８】
2015136571.tif 000010
【図９】
2015136571.tif 000011